(57)【要約】      （修正有）【課題】地震、大震災から、人為的製作工造物、他、大概の物をクッションカバー力を以ってその衝撃力を外部へ逃がし、保護するものを提供する。【解決手段】寝具布団に用いている寝具布団の型にして、丈夫な生地布の中にアスベスト綿を入れ、アスベスト綿入、土嚢用袋を製作する。【選択図】図１
2007120279.tif 000002
【特許請求の範囲】
【請求項１】
本発明品の目的は、地震、大震災から、人為的製作工造物、他、大概の物をクッションカバー力を以って、その衝撃力を外部へ逃がし、保護する事に為される現在人が、寝具布団に用いている寝具布団の型にして、丈夫な生地布の中にアスベスト綿を入れ、アスベスト綿入、土嚢用袋を製作し、発明される事への請求。
【請求項２】
この様に制作されたアスベスト綿入り土嚢用袋内のアスベスト綿の壊乱、飛散防止をする為、水抜き穴を多く持ち、爪を持つ網目状の金網、プラスチック綱を発明請求し、
【請求項３】
更にその上に（ステンレス製）金網を被せるアスベスト綿入り土嚢用袋、壊乱防止する金網を発明する請求。
【発明の詳細な説明】
【技術分野】
【０００１】  地震における、それが持つ破壊（衝撃）力とは、筆者が唱ずる新代科学、万有爆力の法則：第二法則、『光（電磁出力線）は同等の熱量に替わり、一定の速度と距離を持つままに、それがあらゆる物体に衝突した際、同代質量、エネルギーに替わり、質量分だけの運動力をそれに与えるものになる。』：特願２００５−    発光ペンダント参照されたし。【０００２】  それ故、地震エネルギー（Ｍ）とは、その質量をマグマ熱量に換算される、そこに外き飛ばされる光粒子代謝熱出量エネルギー（特願２００７−  。地震発見器参照されたし）
2007120279.tif 000003
せるノート参照されたし）クレアー出力となり、フレアー出力は緻密箇所（水の無い所）を避け、水分（Ｈ）のある所を目指して爆燃進行（分かり易く言うと、水蒸気爆発）する、固い岩盤を振り動かしながら、水分の有る所（水脈等）を目指して、地中を進み、摩擦熱をフレアーの出力源とし、地中を進み、地表に出る時、（注意書とし、ハリケーンを起こす、電磁線になるものもある。）解消するものであったが、その途上にあって、本発明される半ば、半導体に以る、絶縁物でありながら、多くの水分を含有するアスベスト綿を導火線に用いる工法施行されＶ字構溝、他が、河口、若しくは海岩口に向けて、予めから、日がな努力され、地震発生危険地帯、地区に工法施工され続けた場合、本発明品によって網の目状に張り巡らされた土地改良地区内にある建造物の一切は、地震災による被害から免れる技術力がこれにあった。
【背景技術】
【０００３】●特願、２００５−    、発光ペンダント●特願、２００５−３４１１９５、消しゴムで消せるノート●特願、２００７−    、地震発見器●特願２００４−１８１９０４、健康手袋
●特願、２００５−    、自行車●特願、２００３−４３６３０８、兜型ヘルメット●特願、２００４−２１７９９２、揚子付マッチ●特願、２００５−    発光ペンダント参照されたし。
【発明の開示】
【発明が解決しようとする課題】
【０００４】  筆者は新潟県長岡市出身であった。まだ、コドモの頃であった。オジイさんと、おバアさんがこの地方の豪雪を憂いながらも、「……この長岡という所は、雪害こそ、多いもの、地震の被害はトンと無い所である。」と話し、東京は皇居を除いて、都内一円一帯が、火の海と化す程、ひどい地震がかつてのこれに遭った。と、話しをしているのを聞いていた事があった。コドモ心に何故であろうか？と考えていた。ところがいずれにしても倒壊家屋が少なく、火災のみ発生していた。【０００５】  ――その昔、長岡市が、江戸時代にあって、まだ長岡藩であった頃、牧野七万石、城下街にあって、１万２千人の領民、納税者が、これに存在し、０．０３％に掛かるこれを支配する士族、及び、代理人（公務員）３６０人が、居て、幕藩強制対政策に強かれる、４公６民、大型税を強要され、破綻する、幕府中央の国庫、立て直おしなる、取税人は武士、士族から、民間に移される、農民（庄屋：代官）をする、続々と行政改革が、取り行なわれ、中央政府に対しての地方民の反感、反発を押え様としたが、民衆の不満、怒り、代官を訴える直訴が相次ぎ、納税が６公４民を越えた頃、
2007120279.tif 000004
（特願、２００５−１４６０２６、示現流：特願、２００４−３１４７９６、盗聴コンウィルス防止器参照されたし）【０００６】  しかしながら、不思議にも、統計的に見て、それらは、満月の晩に多く起こっていた。幕藩側では、本能的にこれを知って取り、満月の前後を含める晩には、各、全地区、全地にできるだけ、（過激な）祭りを催おし、これが取り行なわれる事を推奨し、伝統行事とし、祭りには、多いに酒が振まわれ、若者達は、その後、その足で、赤線の敷かれた地区に、狩り出されて行き、一晩の悦楽を楽しみ、幕藩側では、民衆の間に多く発生する、不平と不満を削ぎ取る工夫をする事に余念がなかった。【０００７】  その間に、全人口の０．０３％にしか満たない、士族は、支配者階級にあって、その生命、財産、支配者権維持、地位を保全するべく為、学問、柔術、剣道における文武道に励み、自治区税から、幕府に目立たぬ様、灌漑用水事業を称し、堀割、水路を日重なに増やして行き、水路は荷役小船運搬船の往来できるものとなってゆき、その要所、要所には、墓石を防害石とし、有時の際には、砦（出城）となるべく、寺院構を建立する知恵は、実に加賀百万石、前田氏領国にある堀割、水路に学び取るものであり、やがて、完成時には、長岡城本丸を保護する、外堀、内堀をみまがうものとなっていた。【０００８】  これらの遺構は、現在の長岡市民にも、殆ど知られぬ内に、柿（錠）川と名こそ残すままに、その名ごりを今の世にも見る事が出来たが、東京の神田川堀割に見られる程、りっぱな物では無かった。幕府自体も、同意議・目的を得る為に、目にあまらない限り、これを容易に目認していた。――課題が生じた。
【課題を解決するための手段】
【０００９】  筆者はクリスチャンであった。多くの聖書学者がそうであった？様に、目に見えない神仏を信じる事への難しさは、至難の業であったが、これらの存在を信じ様と努力し続けた。考古学の基本は、聖書にあって、これに存在した事実を立証しようとする純粋な試みから始められるものが多いものの、考古学を専修すると、神学に相、まみえる事の理りが失なわれる事も多かった。――考古学は飽くまでも、科学を基盤に置いて、考察される、先史、若しくは、人（と神）が、これを創りし、して後、黙した場合、これらの遺構、遺物が、一体、誰れの手によって、何故の動機と目的を以って創られていたのか？立証論理（学）を重ねて、学術体系を型成してゆくものであった。――しかしながら、これを本件論文に適用した場合、【００１０】
2007120279.tif 000005
在住する民間（庶民）人の住む家屋等が、マグニチュード（Ｍ）７．５を越えた頃、倒壊し、壊滅的な打撃を受け、数え切れない死傷者を出し続ける事になっていたが、同じ地区に在り、たかが木造作りでしかなく、地上、数１０メートルの高さを以って、天空に聳え立つ日本の城（天守閣）や、塔は倒壊したためしが無く、現代の多くの建築（学）士達は、その未知なる不遍の建築構造を創造した日本の古人、技術師達の技術力に迫まろうと努力し続けていた頃、筆者は、別角度からこれを見ていた。そして、そこにある土木技術力にこそ、自ずと着眼していたのであった。【００１１】  地震力学をＡ．アインシュタイン博士の唱えた相対性理論、Ｅ２＝ｎの公式を以って、その震源（破壊）力を示す時、筆者の唱じる「万有爆力の法則」にある、Ｘ＋Ｙ＝Ｚ式を公式に編入した際、その震源の持つ破壊力（Ｚ）は、必ずしもボール状に見られる円球体となって、地上に進む半球体状（Ｘ）の破壊力は、地表近くまで突き進む時、それは、２次元ベクトル直線上にある、３次元、フレアー出力として、出力波を（３．１４２）ｎ倍になる、増幅しながら、行進力として進行するものとなり、これを支える反動（力学）力（Ｙ）となる地下に潜る半球体出力となる破壊力は受け皿力学力となる為、周囲に固い岩盤等がある時、弱い地層のみこれを狙って、その出力を逃がそうとし続けます。しかしながら、その出力は、前以って、これに用意されている、弱い地層、溝、特に地下水溝に流れる水脈に添って、その先にある、河川等にアッという間に放出される所とな、これらは、人間の体内を走る神径作用力学にも見られる所であった。
（特願、２００５−    自行車参照されたし）（特願、２００５−    、灰カトリ参照されたし）
【発明の効果】
【００１２】  それ故、考証論理（学）にあって、古えからある大規模城下街の堀割りの中に在って、造成され続け、水道、船水路、灌漑用水路を良くし、一見、荷役水路に用いる事に見せかけられ、河底（床）を更に深く堀り続け、延長し続け、城下街の中心にある城の本丸を守るべく従横無尽に順次張り巡らされていった堀割水路では、街内に生じた大火災時には「野火止め」となり、防火水路となる他、日照り、有事における水難に事欠かなかった事は言うに及ばず、しかしながら、これを以って本論文の内容を満たすべき事は、神のみぞ知り得る、大震災、発生時、この様に街の中心（本丸）を保護する事への目的を以って、造成され続けた側構、堀割りは、実に、この（３．１４２）ｎを以って膨れ上がり続ける地震の纒った破壊力（特に、第一次衝撃力：Ｘ）を地表近くにおいて、ズタズタに分散し、分解させ続ける消滅力（Ｙ．抗力）となるものであった。（特願、２００５−    、ポリジャコ：特願、２００３−４３６３０８、兜型ヘルメット参照されたし）。【００１３】  それ故、筆者は、過去は中世に至るまで遡り、城、本丸を保護し、これを取り囲む様に張り巡らされ、側構、堀割りを多く持ち、この中に城下街を作り続けた街並区と、その外に作られ、造営され続けて来た街並区における震災時における被害状況を調査した所、歴然たる違いのこれを、多く見せつけられる所となった。考証論理（学）としては、【００１４】  中世、国内、１５９６年京都、大阪地方に大震災が発生したが、頑強なる堀割、側構を張り巡らせた、この中に在る京都御所、並びに、その古えからの塔、他、大阪城天守閣並びに、その城下街において、ほぼ全域にある家屋、屋敷の一切に近い限りの損傷が見受けられないのに等しい中、その堀割りの外にある民家他、大阪城陣合戦の直接原因となった方向寺（豊臣氏寺）に結集した、大阪城築城技術も虚しく、この大伽藍は粉みじんに倒壊している、そのすさましさは、近代において、前記される関東大震災（Ｍ７．７）にも見られるに匹敵したが、江戸城を中心に幾重にも張り巡らされて、存在し、この首都圏内、外堀、内堀を含める堀割の中にある家、街並には、建造物倒壊の被害はほとんど見られぬに等しいものとなっていた。
これらの震災は、人々の炊事技術の未熟さから、火の始末の悪さによって、大火災を引き起こした為、関東大震災は二次災害における火災の猛威が、一次災害に上乗せした形で都者圏の壊滅的ダメージを大きくするものとなっているものであった。【００１５】  現代では、阪神、淡路地区に発生した大震災においても、同じ事が言えるものであった。――かつての大閣秀吉が、「外堀（総構）さへ埋めずば、この
2007120279.tif 000006
に張り巡らされた用水路内にある街並では、同じ理由により、倒壊家屋の殆どが之れに見られないものであった。
【発明を実施するための最良の形態】
【００１６】  それ故、必ずしも起こる事が想定される我が国（特に東海沖地震、他）についてのＭ．８以下までの地震、災発生について、国の指導者が不安がり、専門家、並びに、
2007120279.tif 000007
学識（学問）で理論整然とすれば、古えから大空に聳え立ち続けて、幾度の大地震に倒壊する事なく、今日にその威装を留め続けて来た法隆寺、塔を含め、姫路城、熊本城、松本城……天守閣等に見られる巨大木造作りの建築物をして、これらに附隨し、空堀り、切り通しを含める、側構、堀割りの多くを地表に持って守られ続けた内にあるあらゆる全ての建物は、地震災から守られ続けるものであった事に理解される所となった。【００１７】  それ故、現代においても、東京都千代田区を中心に、中央集権都市構造を持つ我が国において、先代の徳川幕府が、その居城：江戸城本丸を保護するべく、江戸川、墨田川、神田川……他をも堀の内に数える、数多くの水堀り、空堀りを含め、都内に遺構として残し続けたので、この中にあって、現代科学における科学者が、これら遺構による堀割の数々を基軸とし、現在では、地下鉄構さへも、抗震掘割力学として計算し考えた時、仮りに、かつてあった、Ｍ．７．７強の関東（特に東京）を襲う震災が、この先、幾度無く発生したとしても、巨大建造物に働らく力学的力を例外として、あらゆる、これら抗震掘削溝力学的、力の働く、この構造物の内にあって、建っている建造物の大概は、必ずしも、保護され、永久保存され続ける物となる事が推意されるものとなった。それ故、火の元さへ、しっかり管理すれば、二次災害の併発を防げるものとなる事も推意された。それ故、【００１８】  この様に今までに無かった、筆者達が唱ずる、新代科学を基準にして、仮りに考えられ、現代の建築構造力学にコスト（コスト日に等しい）のかからない建築材料をして、大量に、現在廃出され続ける産業廃棄物、アスベスト綿の之を選び、運搬時や作業時に人が、これを吸い込まない様に、布団布に包み、図１に示す、目の細かいステンレス網を覆い被せ、土のう袋、ならぬ、アスベスト袋に仕立て、制品化し、その形状は、現在人が夜る寝むる時に用いる寝具の敷布団、掛け布団、枕を作る型の物が望ましいと思われる所、
【実施例】
【００１９】  本発明品に本件、立証論理を重ね合わせ、更に解説される、地質学調査隊の、現地（事件）見聞記録に基づく、多くの記録書の中にあって、過去の遺跡、遺構、堀割（河川）構、並びに切り通し構の内に作られた、複数、建物群では、大震災の際には、倒壊率が、極めて低い物となる時、本図面１に見られる、広大な土地を有し、その中に必要（危険）用途にあった大規模建屋（原発を含む）を多く造営しなければならない際には、【００２０】  筆者の記憶が定かではないが、かつて、日本のどこそこの観光地で見た、砂丘をユンボで削り、円を縁取りし、その中に、日本の旧銭文字を書き込んで、作られた様な、堀割り構造を作られている（工場）土地開発地帯が、理想となる中、大震破壊力学（Ｘ）にある破壊力を、本文に示す、抗震掘削溝力学（Ｙ）によって、地表にのみ働らく強大な、第一次（破壊）衝撃力（３．１４２Ｘ）ｎを完全に近いまでにも解消させる事の出来る際、消滅力学（３．１４２Ｙ）ｎ×Ａ：Ａは、縦×横×高にある堀割の容量となり、堀割の（包）容量（Ｙ）が、震災衝撃力（Ｘ）よりも大きい時には、その中にある全ての建造物は、完全に一切の被労力学的力を得ずして、保護されるものとなった。（但し、堀割はπｒ２（円形）構成のものが多かった。）
【産業上の利用の可能性】
【００２１】  人は、その土地に生まれ、その土地の土から生産される物を食べ、その土地に流れる水を飲む時、自ずと人は、その土地と一体化し、そこに永久に存在する、家、田畑、そして墓が必要となり、人は、その様にそれらの物を作り続けた時、それは祖国と称されるものになっていた。
【００２２】  人は、それぞれ、使命を持って、この世に生まれて来る様に、附隨する。建物も同様であり、人と共にあって、その寿命の尽きる日まで、この世の為、人の為に、稼動し続け、その間にある、悪運に運ばれる、事故、天災、病気（白アリの被害がひどかった）に対して、互いに勞わり合い、その日の為に役立った。そして、人に出生率（Ｘ）がある様に、死亡率表（Ｙ）があり、多くの新生児がこの世に送り出されると、多くの老人があの世へと去って行った。建物も同じであった。
【００２３】  ところが人をして、その寿命（脳死）を終えても、臓器が無傷であり、摘出し、他の命に受け継がれる。という物の考え方がある時、建物にも同じ事が言えた（臨床心理学より）。アスベスト綿がそうであった。これらは大量に必要とされながらも世論に左右され、その需用の場を失っていた。
【００２４】
2007120279.tif 000008
あり、利用価値に対して、悪害バリューが上廻わると、誰しも、これの利用価値に目を向けなくなり、誰れが何を言ってもサイレント時間と膨大な時間が流れ始めて、人々は手をこまねいて、これらの物をもてあまし続けている時、これら、人の手によって棄てられ続ける、産業廃棄物、アスベスト綿の悪評（Ｙバリュー）部分をカバーする、細かい目を持つステンレス網を覆い被せる、これが外部に漏れ出さぬ様にしてＸバリューを発生させるままに、これを土のう袋に仕立て上げ、本論文内容に見られる様に、新旧、設備品取替え道路工事や、建造物の設備工事の際、プレカット、ベンチ加工、山留め工事における土留施工に用いる他、埋設カルバートの周囲にＶ字形にこれを取り巻いて、カルバートと共に順次延長、埋設して行った場合、強大地震が起こった際、これに生じる本震災（破壊）強大エネルギーは、筆者が唱じる万有爆力、第一法則に従い、爆力は摩擦、光磁線に替わり、導線となり、絶縁地帯（固い岩盤）等を避け、本発明、される水を含んだアスベスト、土嚢袋の長いＶ字列では半導体となり、余力を周囲の土中に逃がす、主流電子線は、インパルス線となり、行き尽く所、海、河口に一瞬にして、放出される際、地震破壊エネルギーは地表においては皆、無となり、地下のみに盟、動して動く震災、破壊エネルギーは、そのまま、順次、本発明されるアスベストＶ字溝導線に誘引されるままに、これらに放出され続けるので、仮りに、本発明品を用いて、これらの埋設工事が、首都巻を含む、重要都市に日がな少しづつ埋設され、施こされ続けた場合、Ｍ．８以上の大震災が、これに襲撃した。としても、充分勘え得る、新しい都市作りの一役を荷負い、地中にて、本発明品は用いられる事の場合が多く、多くの人々の生命、財産及び、巨大都市を守る事の出来る物である事が多くの人々に理解された時、アスベストの持つ、Ｙバリューは、Ｘバリューに変わり、インフレを起こす事の出来る貴重資源に変わり、各、建設、土建業務、事業所で多く用いられる物となる時、本発明の産業上の利用の可能性は極めて大きい物となった。（特願、２００４−２１７９９２、揚子付マッチ参照されたし）
【図面の簡単な説明】
【００２５】
【図１】  アス．ドンゴロス枕（Ｔ．４３０号）を示した図であり、これに、多数の水抜き穴を開けた、プラスチックカバーを覆い被せた図と、その上にステンレス製金網を覆い被せた図。
【００２６】
【図２】  大規模（危険物取り扱い）工場地帯敷地の周囲にＶ字型堀割りを用け、堀割りの法面製作時、本発明、アス．ドンゴロス布団を横に並べ、法面の養護に使用した使用図を示すものであったが、この様にし、工法土地改良制作すると、大震災被災時、Ｍ．８以下までのあらゆる地震破壊力を、その土地表面にて、避ける出来る事が出来るものとなった。事を示す図であった。
【００２７】
【図３】  大規模、土地使用地帯において、側溝、地下利用構造溝（カルバート、ヒューム管‥‥等）埋め戻しに際して、上、図２に示す様、本発明アス．ドンゴロス資材をＶ字型にする大量に用いて、施工した場合、大震災被害時、これがクッションになり、そこに生じる破壊力波を防害し続ける抗体となるので、高速走行する乗り物がその場にあっても、地震の影響を受けづらくなる事を示した図であった。
【００２８】
【図４】  大震災にある破壊力（フレアーのみ）を公式Ｘπ＋Ｙπ＝Ｚπ⇒Ｚ＝（３．１４２）π⇒Ｍ．（マグニチュード）で表わし、その行き先に、本、発明品を備えたＶ字構、並びに、埋設構が多数ある時、立証実験を震災破壊力、水波（水圧）実験でその圧力（Ｍ．マグニチュード）に変換して、計測する時、本発明品を備えるＶ字構、他では、この防害物にフレアー（破壊力）が衝突する時、その巨大化した衝撃力をズタズタに分解し、溝構内の施設には破壊力を及ぼさなくなっている事を示した図であった。
【符号の説明】
１．アスベスト綿を布団の枕、掛け布団、敷き布団、座布団の型にし、丈夫な布で包み、アスベスト、土嚢布団を作った図。２．アスベスト土嚢布団に目の細かいステンレス製、若しくは、プラスチック製の鋼を被せて、内のアスベスト綿を保護した嚢を示した図。３．アスベスト嚢に金網を被せた図。４．大規模工場敷地。５．工場建屋。６．防火水槽７．ナフサ貯蔵タンク、８．軽油タンク。９．飛行場。１０．飛行機。１１．飛行機格納庫。１２．インパルス電子化した、震災破壊力を示す図であり、地震多発地帯において、この溝の中で、犬、猫、鼠、ナマズ等を飼育すると、意識障害（日射症）を起こします。（特願、２００４−１８１９０４、建康手袋参照されたし）。１３．Ｖ字型溝構。１４．Ｖ字型溝構に対して、裏側に発泡スチロール、板、等を天盤にする、鋼材を骨組みとし、上部にアスファルトを敷く、蓋を被せて、空洞、若しくは、内部にカルバート、他、ヒューム管を入れて、これらカルバート、ヒューム管の周囲に本発明品、アスベスト布団嚢で取り巻いて保護し、土で埋設した場合に、地震が起こった際、電子化した、地震破壊エネルギーは、カルバート、ヒューム管の周囲に取り巻かれた本発明品、アスベスト、布団嚢をクッションにして、河口、若しくは、海岸口へ向って流れるものとなる時、この様に設計された内にある集合団地、工場地帯では、大震災の折り、一切の被害を受ける事が無くなります。――この様に設計された地区域、河口、海岸口では、本発明品を多く用いられる事が望ましかった。１５．カルバートボックス。１６．ヒューム管。１７．地上。１８．揺れ力学。１９．地下埋設物。２０．地下鉄。２１．攪拌器。２２．震災破壊力（水圧）水波実験。２３．Ｕ字構。２４．街並。２５．大規模建築物。２６．震災破壊力（πｒ２）ｎ実験構成図  ２７．本発明品、アスベスト布団土嚢袋を横並びに並べて、法面を保護した図であり、側構底に流れる水はきれいになる一方、対震構造土地、地盤工において、この様に施工した場合、最強のものとなります。２８．連結バネ。２９．連結棒。３０．手鈎爪。３１．本発明縦並図。３２．震災破壊力２次元ベクトル図と３次元π図を力学的に構成した構造図。
【図１】
2007120279.tif 000009
【図２】
2007120279.tif 000010
【図３】
2007120279.tif 000011
【図４】
2007120279.tif 000012
【手続補正書】
【提出日】平成17年11月2日(2005.11.2)
【手続補正１】
【補正対象書類名】明細書
【補正対象項目名】全文
【補正方法】変更
【補正の内容】
【発明の詳細な説明】
【技術分野】
【０００１】  地震における、それが持つ破壊（衝撃）力とは、筆者が唱ずる新代科学、万有爆力の法則：第二法則、『光（電磁出力線）は同等の熱量に替わり、一定の速度と距離を持つままに、それがあらゆる物体に衝突した際、同代質量、エネルギーに替わり、質量分だけの運動力をそれに与えるものになる』：特願、２００５−    発光ペンダント参照されたし。【０００２】  それ故、地震エネルギー（Ｍ）とは、その質量をマグマ熱量に換算される、そこに外き飛ばされる光粒子代謝熱出量エネルギー（特願２００７−  。地震発見器参照されたし）
2007120279.tif 000013
せるノート参照されたし）クレアー出力となり、フレアー出力は緻密箇所（水の無い所）を避け、水分（Ｈ）のある所を目指して爆燃進行（分かり易く言うと、水蒸気爆発）する、固い岩盤を振り動かしながら、水分の有る所（水脈等）を目指して、地中を進み、摩擦熱をフレアーの出力源とし、地中を進み、地表に出る時、（注意書とし、ハリケーンを起こす、電磁線になるものもある。）解消するものであったが、その途上にあって、本発明される半ば、半導体に以る、絶縁物でありながら、多くの水分を含有するアスベスト綿を導火線に用いる工法施行されＶ字構溝、他が、河口、若しくは海岩口に向けて、予めから、日がな努力され、地震発生危険、地帯、地区に工法施行され続けた場合、本発明品によって網の目状に張り巡らされた土地改良地区内にある建造物の一切は、地震災による被害から免れる技術力がこれにあった。
【背景技術】
【０００３】●特願、２００５−    、発光ペンダント●特願、２００５−３４１１９５、消しゴムで消せるノート●特願、２００７−    、地震発見器●特願２００４−１８１９０４、健康手袋●特願、２００５−    、自行車●特願、２００３−４３６３０８、兜型ヘルメット●特願、２００４−２１７９９２、揚子付マッチ●特願、２００５−    発光ペンダント参照されたし。
【発明の開示】
【発明が解決しようとする課題】
【０００４】  筆者は新潟県長岡市出身であった。また、コドモの頃であった。オジイさんと、おバアさんがこの地方の豪雪を憂いながらも、「……この長岡という所は、雪害こそ、多いもの、地震の被害はトンと無い所である。」と話し、東京は皇居を除いて、都内一円一帯が、火の海と化す程、ひどい地震がかつてのこれに遭った。と、話しをしているのを聞いていた事があった。コドモ心に何故であろうか？と考えていた。ところがいずれにしても倒壊家屋が少なく、火災のみ発生していた。【０００５】  ――その昔、長岡市が、江戸時代にあって、まだ長岡藩であった頃、牧野七万石、城下街にあって、１万２千人の領民、納税者が、これに存在し、０．０３％に掛かるこれを支配する士族、及び、代理人（公務員）３６０人が、居て、幕藩強制対政策に強かれる、４公６民、大型税を強要され、破綻する、幕府中央の国庫、立て直おしなる、取税人は武士、士族から、民間に移される、農民（庄屋：代官）をする、続々と行政改革が、取り行なわれ、中央政府に対しての地方民の反感、反発を押え様としたが、民衆の不満、怒り、代官を訴える直訴が相次ぎ、納税が６公４民を越えた頃、
2007120279.tif 000014
（特願、２００５−１４６０２６、示現流：特願、２００４−３１４７９６、盗聴コンウィルス防止器参照されたし）【０００６】  しかしながら、不思議にも、統計的に見て、それらは、満月の晩に多く起こっていた。幕藩側では、本能的にこれを知って取り、満月の前後を含める晩には、各、全地区、全地にできるだけ、（過激な）祭りを催おし、これが取り行なわれる事を推奨し、伝統行事とし、祭りには、多いに酒が振まわれ、若者達はその後、その足で、赤線の敷かれた地区に、狩り出されて行き、一晩の悦楽を楽しみ、幕藩側では、民衆の間に多く発生する、不平と不満を削ぎ取る工夫をする事に余念がなかった。【０００７】  その間に、全人口の０．０３％にしか満たない、士族は、支配者階級にあって、その生命、財産、支配者権維持、地位を保全するべく為、学問、柔術、剣道における文武道に励み、自治区税から、幕府に目立たぬ様、灌漑用水事業を称し、堀割、水路を日重なに増やして行き、水路は荷役小船運搬船の往来できるものとなってゆき、その要所、要所には、墓石を防害石とし、有時の際には、砦（出城）となるべく、寺院構を建立する知恵は、実に加賀百万石、前田氏領国にある堀割、水路に学び取るものであり、やがて、完成時には、長岡城本丸を保護する外堀、内堀をみまがうものとなっていた。【０００８】  これらの遺構は、現在の長岡市民にも、殆ど知られぬ内に、柿（鈎）川と名こそ残すままに、その名ごりを今の世にも見る事が出来たが、東京の神田川堀割に見られる程、りっぱな物では無かった。幕府自体も、同意議・目的を得る為に、目にあまらない限り、これを容易に目認していた。――課題が生じた。
【課題を解決するための手段】
【０００９】  筆者はクリスチャンであった。多くの聖書学者がそうであった？様に、目に見えない神仏を信じる事への難しさは、至難の業であったが、これらの存在を信じ様と努力し続けた。考古学の基本は、聖書にあって、これに存在した事実を立証しようとする純粋な試みから始められるものが多いものの、考古学を専修すると、神学に相、まみえる事の理りが失なわれる事も多かった。――考古学は飽くまでも、科学を基盤に置いて、考察される、先史、若しくは、人（と神）が、これを創りし、して後、黙した場合、これらの遺構、遺物が、一体、誰れの手によって、何故の動機と目的を以って創られていたのか？立証論理（学）を重ねて、学術体系を型成してゆくものであった。――しかしながら、これを本件論文に適用した場合、【００１０】
2007120279.tif 000015
在住する民間（庶民）人の住む家屋等が、マグニチュード（Ｍ）７．５を越えた頃、倒壊し、壊滅的な打撃を受け、数え切れない死傷者を出し続ける事になっていたが、同じ地区に在り、たかが木造作りでしかなく、地上、数１０メートルの高さを以って、天空に聳え立つ日本の城（天守閣）や、塔は倒壊したためしが無く、現代の多くの建築（学）士達は、その未知なる不編の建築構造を創造した日本の古人、技術師達の技術力に迫まろうと努力し続けていた頃、筆者は、別角度からこれを見ていた。そして、そこにある土木技術力にこそ、自ずと着眼していたのであった。【００１１】  地震力学をＡ．アインシュタイン博士の唱えた相対性理論、Ｅ２＝ｎの公式を以って、その震源（破壊）力を示す時、筆者の唱じる「万有爆力の法則」にある、Ｘ＋Ｙ＝Ｚ式を公式に編入した際、その震源の持つ破壊力（Ｚ）は、必ずしもボール状に見られる円球体となって、地上に進む半球体状（Ｘ）の破壊力は、地表近くまで突き進む時、それは、２次元ベクトル直線上にある、３次元、フレアー出力として、出力波を（３．１４２）ｎ倍になる、増幅しながら、行進力として進行するものとなり、これを支える反動（力学）力（Ｙ）となる地下に潜る半球体出力となる破壊力は受け皿力学力となる為、周囲に固い岩盤等がある時、弱い地層のみこれを狙って、その出力を逃がそうとし続けます。しかしながら、その出力は前以って、これに用意されている、弱い地層、溝、特に地下水溝に流れる水脈に添って、その先にある、河川等にアッという間に放出される所となり、これらは、人間の体内を走る神径作用力学にも見られる所であった。
（特願、２００５−    自行車参照されたし）（特願、２００５−    、灰カトリ参照されたし）
【発明の効果】
【００１２】  それ故、考証論理（学）にあって、古えからある大規模城下街の堀割りの中に在って、造成され続け、水道、船水路、灌漑用水路を良くし、一見、荷役水路に用いる事に見せかけられ、河底（床）を更に深く堀り続け、延長し続け、地下街の中心にある城の本丸を守るべく従横無尽に順次張り巡らされていった堀割水路では、街内に生じた大火災時には「野火止め」となり、防火水路となる他、日照り、有事における水難に事欠かなかった事は言うに及ばず、しかしながら、これを以って本論文の内容を満たすべき事は、神のみぞ知り得る、大震災、発生時、この様に街の中心（本丸）を保護する事への目的を以って、造成され続けた側構、堀割りは、実に、この（３．１４２）ｎを以って膨れ上がり続ける地震の纒った破壊力（特に、第一次衝撃力：Ｘ）を地表近くにおいて、ズタズタに分散し、分解させ続ける消滅力（Ｙ．抗力）となるものであった。（特願、２００５−    、ポリジャコ：特願、２００３−４３６３０８、兜型ヘルメット参照されたし）。【００１３】  それ故、筆者は、過去は中世に至るまで遡り、城、本丸を保護し、これを取り囲む様に張り巡らされ、側構、堀割りを多く持ち、この中に城下街を作り続けた街並区と、その外に作られ、造営され続けて来た街並区における震災時における被害状況を調査した所、歴然たる違いのこれを、多く見せつけられる所となった。考証論理（学）としては、【００１４】  中世、国内、１５９６年京都、大阪地方に大震災が発生したが、頑強なる堀割、側構を張り巡らせた、この中に在る京都御所、並びに、その古えからの塔、他、大阪城天守閣並びに、その城下街において、ほぼ全域にある家屋、屋敷の一切に近い限りの損傷が見受けられないのに等しい中、その堀割りの外にある、民家他、大阪城陣合戦の直接原因となった方向寺（豊臣氏寺）に結集した、大阪城築城技術も虚しく、この大伽藍は粉みじんに倒壊している、そのすさましさは、近代において、前記される関東大震災（Ｍ７．７）にも見られるに匹敵したが、江戸城を中心に幾重にも張り巡らされて、存在し、この首都圏内、外堀、内堀を含める堀割の中にある家、街並には、建造物倒壊の被害はほとんど見られぬに等しいものとなっていた。
これらの震災は、人々の炊事技術の未熟さから、当時、火の始末の悪さによって、大火災を引き起こした為、関東大震災は二次災害における火災の猛威が、一次災害に上乗せした形で都者圏の壊滅的ダメージを大きくするものとなっているものであった。【００１５】  現代では、阪神、淡路地区に発生した大震災においても、同じ事が言えるものであった。――かつての大閤秀吉が、「外堀（総構）さへ埋めずんば、この
2007120279.tif 000016
に張り巡らされた用水路内にある街並では、同じ理由により、倒壊家屋の殆どが之れに見られないものであった。
【発明を実施するための最良の形態】
【００１６】  それ故、必ずしも起こる事が想定される我が国（特に東海沖地震、他）についてのＭ．８以下までの地震、災発生について、国の指導者が不安がり、専門家、並びに、
2007120279.tif 000017
学識（学問）で理論整然とすれば、古えから大空に聳え立ち続けて、幾度の大地震に倒壊する事なく、今日にその威装を留め続けて来た法隆寺、塔を含め、姫路城、熊本城、松本城……天守閣等に見られる巨大木造作りの建築物をして、これらに附隨し、空堀り、切り通しを含める、側構、堀割りの多くを地表に持って守られ続けた内にあるあらゆる全ての建物は、地震災から守られ続けるものであった事に理解される所となった。【００１７】  それ故、現代においても、東京都千代田区を中心に、中央集権都市構造を持つ我が国において、先代の徳川幕府が、その居城：江戸城本丸を保護するべく、江戸川、墨田川、神田川……他をも堀の内に数える、数多くの水堀り、空堀りを含め、都内に遺構として残し続けたので、この中にあって、現代科学における科学者が、これら遺構による堀割の数々を基軸とし、現在では、地下鉄構さへも、抗震掘割力学として計算し考えた時、仮りに、かつてあった、Ｍ、７．７強の関東（特に東京）を襲う震災が、この先、幾度無く発生したとしても、巨大建造物に働らく力学的力を例外として、あらゆる、これら抗震掘削溝力学的、力の働く、この構造物の内にあって、建っている建造物の大概は、必ずしも、保護され、永久保存され続ける物となる事が推意されるものとなった。それ故、火の元さへ、しっかり管理すれば、二次災害の併発を防げるものとなる事も推意された。【００１８】  この様に今までに無かった、筆者達が唱ずる、新代科学を基準にして、仮に考えられ、現代の建築構造力学にコスト（コスト日に等しい）のかからない建築材料をして、大量に、現在廃出され続ける産業廃棄物、アスベスト綿の之を選び、運搬時や作業時に人が、これを吸い込まない様に、布団布に包み、図１に示す、目の細かいステンレス網を覆い被せ、土のう袋、ならぬ、アスベスト袋に仕立て、制品化し、その形状は、現在人が夜る寝むる時に用いる寝具の敷布団、掛け布団、枕を作る型の物が望ましいと思われる所、
【実施例】
【００１９】  本発明品に本件、立証論理を重ね合わせ、更に解説される、地質学調査隊の、現地（事件）見聞記録に基づく、多くの記録書の中にあって、過去の遺跡、遺構、堀割（河川）構、並びに切り通し構の内に作られた、複数、建物群では、大震災の際には、倒壊率が、極めて低い物となる時、本図面１に見られる、広大な土地と有し、その中に必要（危険）用途にあった大規模建屋（原発を含む）を多く造営しなければならない際には、【００２０】  筆者の記憶が定かではないが、かつて、日本のどこそこの観光地で見た、砂丘をユンボで削り、円を縁取りし、その中に、日本の旧銭文字を書き込んで、作られた様な、堀割り構造を作られている（工場）土地開発地帯が、理想となる中、大震破壊力学（Ｘ）にある破壊力を、本文に示す、抗震掘削溝力学（Ｙ）によって、地表にのみ働らく強大な、第一次（破壊）衝撃力（３．１４２Ｘ）ｎを完全に近いまでにも解消させる事の出来る際、消滅力学（３．１４２Ｙ）ｎ×Ａ：Ａは、縦×横×高にある堀割の容量となり、堀割の（包）容量（Ｙ）が、震災衝撃力（Ｘ）よりも大きい時には、その中にある全ての建造物は、完全に一切の被労力学的力を得ずして、保護されるものとなった。（但し、堀割はπｒ２（円形）構成のものが多かった。）
【産業上の利用の可能性】
【００２１】  人は、その土地に生まれ、その土地の土から生産される物を食べ、その土地に流れる水を飲む時、自ずと人は、その土地と一体化し、そこに永久に存在する、家、田畑、そして墓が必要となり、人は、その様にそれらの物を作り続けた時、それは祖国と称されるものになっていた。
【００２２】  人は、それぞれ、使命を持って、この世に生まれて来る様に、附隨する。建物も同様であり、人と共にあって、その寿命の尽きる日まで、この世の為、人の為に、稼動し続け、その間にある、悪運に運ばれる、事故、天災、病気（白アリの被害がひどかった）に対して、互いに勞わり合い、その日の為に役立った。そして、人に出生率（Ｘ）がある様に、死亡率表（Ｙ）があり、多くの新生児がこの世に送り出されると、多くの老人があの世へと去って行った。建物も同じであった。
【００２３】  ところが人をして、その寿命（脳死）を終えても、臓器が無傷であり、摘出し、他の命に受け継がれる。という物の考え方がある時、建物にも同じ事が言えた（臨床心理学より）。アスベスト綿がそうであった。これらは大量に必要とされながらも世論に左右され、その需用の場を失っていた。
【００２４】
2007120279.tif 000018
あり、利用価値に対して、悪害バリューが上廻わると、誰しも、これの利用価値に目を向けなくなり、誰れが何を言ってもサイレント時間と膨大な時間が流れ始めて、人々は手をこまねいて、これらの物をもてあまし続けている時、これら、人の手によって棄てられ続ける、産業廃棄物、アスベスト綿の悪評（Ｙバリュー）部分をカバーする、細かい目を持つステンレス網を覆い被せる、これが外部に漏れ出さぬ様にしてＸバリューを発生させるままに、これを土のう袋に仕立て上げ、本論文内容に見られる様に、新旧、設備品取替え道路工事や、建造物の設備工事の際、プレカット、ベンチ加工、山留め工事における土留施工に用いる他、埋設カルバートの周囲にＶ字形にこれを取り巻いて、カルバートと共に順次延長、埋設して行った場合、強大地震が起こった際、これに生じる本震災（破壊）強大エネルギーは、筆者が唱じる万有爆力、第一法則に従い、爆力は摩擦、光磁線に替わり、導線となり、絶縁地帯（固い岩盤）等を避け、本発明、される水を含んだアスベスト、土嚢袋の長いＶ字列では半導体となり、余力を周囲の土中に逃がす、主流電子線は、インパルス線となり、行き尽く所、海、河口に一瞬にして、放出される際、地震破壊エネルギーは地表においては皆、無となり、地下のみに盟、動して動く震災、破壊エネルギーは、そのまま、順次、本発明されるアスベストＶ字溝導線に誘引されるままに、これらに放出され続けるので、仮りに、本発明品を用いて、これらの埋設工事が、首都巻を含む、重要都市に日がな少しづつ埋設され、施こされ続けた場合、Ｍ．８以下の大震災が、これに襲撃した。としても、充分勘え得る、新しい都市作りの一役を荷負い、地中にて、本発明品は用いられる事の場合が多く、多くの人々の生命、財産及び、巨大都市を守る事の出来る物である事が多くの人々に理解された時、アスベストの持つ、Ｙバリューは、Ｘバリューに変わり、インフレを起こす事の出来る貴重資源に変わり、各、建設、土建業務、事業所で多く用いられる物となる時、本発明の産業上の利用の可能性は極めて大きい物となった。（特願、２００４−２１７９９２、揚子付マッチ参照されたし）
【００２５】  余談だが、同様に、人の脳死者臓器細胞も、他者臓器内に移殖され、クローン人間、許可が公然化するまで、そこで生き延びる事も、新科学一見地手段か？と考える最近であった。
【図面の簡単な説明】
【００２５】
【図１】  アス．ドンゴロス枕（Ｔ．４３０号）を示した図であり、これに、多数の水抜き穴を開けた、プラスチックカバーを覆い被せた図と、その上にステンレス製金網を覆い被せた図。
【００２６】
【図２】  大規模（危険物取り扱い）工場地帯敷地の周囲にＶ字型堀割りを用け、堀割りの法面製作時、本発明、アス．ドンゴロス布団を横に並べ、法面の養護に使用した使用図を示すものであったが、この様にし、工法土地改良制作すると、大震災被災時、Ｍ．８以下までのあらゆる地震破壊力を、その土地表面にて、避ける出来る事が出来るものとなった。事を示す図であった。
【００２７】
【図３】  大規模、土地使用地帯において、側溝、地下利用構造溝（カルバート、ヒューム管‥‥等）埋め戻しに際して、上、図２に示す様、本発明アス．ドンゴロス資材をＶ字型にする大量に用いて、施工した場合、大震災被害時、これがクッションになり、そこに生じる破壊力波を防害し続ける抗体となるので、高速走行する乗り物がその場にあっても、地震の影響を受けづらくなる事を示した図であった。
【００２８】
【図４】  大震災にある破壊力（フレアーのみ）を公式Ｘπ＋Ｙπ＝Ｚπ⇒Ｚ＝（３．１４２）π⇒Ｍ．（マグニチュード）で表わし、その行き先に、本、発明品を備えたＶ字構、並びに、埋設構が多数ある時、立証実験を震災破壊力、水波（水圧）実験でその圧力（Ｍ．マグニチュード）に変換して、計測する時、本発明品を備えるＶ字構、他では、この防害物にフレアー（破壊力）が衝突する時、その巨大化した衝撃力をズタズタに分解し、溝構内の施設には破壊力を及ぼさなくなっている事を示した図であった。
【符号の説明】
１．アスベスト綿を布団の枕、掛け布団、敷き布団、座布団の型にし、丈夫な布で包み、アスベスト、土嚢布団を作った図。２．アスベスト土嚢布団に目の細かいステンレス製、若しくは、プラスチック製の鋼を被せて、内のアスベスト綿を保護した嚢を示した図。３．アスベスト嚢に金網を被せた図。４．大規模工場敷地。５．工場建屋。６．防火水槽７．ナフサ貯蔵タンク、８．軽油タンク。９．飛行場。１０．飛行機。１１．飛行機格納庫。１２．インパルス電子化した、震災破壊力を示す図であり、地震多発地帯において、この溝の中で、犬、猫、鼠、ナマズ等を飼育すると、意識障害（日射症）を起こします。（特願、２００４−１８１９０４、建康手袋参照されたし）。１３．Ｖ字型溝構。１４．Ｖ字型溝構に対して、裏側に発泡スチロール、板、等を天盤にする、鋼材を骨組みとし、上部にアスファルトを敷く、蓋を被せて、空洞、若しくは、内部にカルバート、他、ヒューム管を入れて、これらカルバート、ヒューム管の周囲に本発明品、アスベスト布団嚢で取り巻いて保護し、土で埋設した場合に、地震が起こった際、電子化した、地震破壊エネルギーは、カルバート、ヒューム管の周囲に取り巻かれた本発明品、アスベスト、布団嚢をクッションにして、河口、若しくは、海岸口へ向って流れるものとなる時、この様に設計された内にある集合団地、工場地帯では、大震災の折り、一切の被害を受ける事が無くなります。――この様に設計された地区域、河口、海岸口では、本発明品を多く用いられる事が望ましかった。１５．カルバートボックス。１６．ヒューム管。１７．地上。１８．揺れ力学。１９．地下埋設物。２０．地下鉄。２１．攪拌器。２２．震災破壊力（水圧）水波実験。２３．Ｕ字構。２４．街並。２５．大規模建築物。２６．震災破壊力（πｒ２）ｎ実験構成図  ２７．本発明品、アスベスト布団土嚢袋を横並びに並べて、法面を保護した図であり、側構底に流れる水はきれいになる一方、対震構造土地、地盤工において、この様に施工した場合、最強のものとなります。２８．連結バネ。２９．連結棒。３０．手鈎爪。３１．本発明縦並図。３２．震災破壊力２次元ベクトル図と３次元π図を力学的に構成した構造図。